(57)【要約】      （修正有）【課題】室内にあって、運動不足を解消し、あるいは学習やゲームの合間の気分転換として手軽に遊ぶことのでき、セットアップや取り外しが容易に実行でき、しかも安全性が確保できる室内用ブランコを提供する。【解決手段】鴨居もしくは梁の上面に掛合させる爪部を一体形成した掛け止め体と、その掛け止め体から垂下される強靭な吊り部材と、その吊り部材の下方部分で支持される座板とから構成される。掛け止め体は金属で成形され、掛け止め対象の前面に設けられた補強ネジと対応するスライド溝を備えるとともに、下端寄りに、吊り部材の通し孔を備えている。【選択図】図１
0003159634.tif 000002
【実用新案登録請求の範囲】
【請求項１】
鴨居もしくは梁の上面に掛合させる爪部を一体形成した掛け止め体と、その掛け止め体から垂下される強靭な吊り部材と、その吊り部材の下方部分で支持される座板とから構成されることを特徴とする室内用ブランコ。
【請求項２】
前記した掛け止め体は金属で成形され、掛け止め対象の前面に設けられた補強ネジと対応するスライド溝を備えるとともに、下端寄りに、前記した吊り部材の通し孔を備えていることを特徴とする請求項１に記載の室内用ブランコ。
【請求項３】
前記した吊り部材は、座板に穿設され複数の透孔に通し回されていることを特徴とする請求項１から２のうち１項に記載の室内用ブランコ。
【請求項４】
前記した吊り部材は、その吊り部材の途中もしくは座板への回し部分、あるいは掛け止め体の通し孔部分のいずれかによって長さ調整が可能とされていることを特徴とする請求項１から３のうち１項に記載の室内用ブランコ。
【請求項５】
前記した座板には、長手方向、もしくは短手方向に沿った立壁部を備えていることを特徴とする請求項１から４のうち１項に記載の室内用ブランコ。
【請求項６】
前記した座板は上面を開口とする揺り籠状に形成してあることを特徴とする請求項１から４のうち１項に記載の室内用ブランコ。
【考案の詳細な説明】
【技術分野】
【０００１】
本考案は室内用ブランコ、特に幼児を対象とし、既設の鴨居や梁を利用して簡便にセットアップや取り外しが行え、安全性を保持した吊りタイプの室内用ブランコに関する。
【背景技術】
【０００２】
現代は、幼児が屋外で遊び、運動する機会が大きく減少している。これは、屋外での種々の危険性が増し、又、酷暑や厳寒といった気候との関連もあり、快適な室内で過ごすことが多くなっていることに由来する。そして、室内では、電子機器としてのものを始め多くのゲームやパソコンに興味が持たれ、平衡感覚のほか、様々な運動神経の発達が遅れてしまうこととなっている。
【０００３】
上記した点に鑑みて、特許文献１に示されるような室内用ブランコが開陳されている。この特許文献１に示される室内用ブランコは、既設の鴨居と直下の敷居との間に一対の格別な支柱を取り付け、その支柱間に、これも格別な梁材を架設して、その梁材から座板を有する吊り紐を吊り下げる構造とされている。
【０００４】
しかしながら、この特許文献１に示される室内用ブランコは、格別に支柱及び梁材を必要とするもので、その取り付け、取り外しの作業に時間を要するうえ、確実で安全な吊り状態が得られる保障もない。加えて、座板の高さ位置調整（吊り部材の長さ調整）にも配慮されておらず、使用勝手が悪いものとなっている。
【先行技術文献】
【特許文献】
【０００５】
【特許文献１】特開平０６−１９０１４９号公報
【考案の概要】
【考案が解決しようとする課題】
【０００６】
本考案が解決しようとする問題点は、環境の良い室内にあって、運動不足を解消し、あるいは学習やゲームの合間の気分転換として手軽に遊ぶことのできる室内用ブランコであって、セットアップや取り外しが容易に実行でき、しかも安全性が確保できるというものがなかったという点である。
【課題を解決するための手段】
【０００７】
上記した問題点を解決するために、本考案に係る室内用ブランコは、鴨居もしくは梁の上面に掛合させる爪部を一体形成した掛け止め体と、その掛け止め体から垂下される強靭な吊り部材と、その吊り部材の下方部分で支持される座板とから構成されることを特徴とし、前記した掛け止め体は金属で成形され、掛け止め対象の前面に設けられた補強ネジと対応するスライド溝を備えるとともに、下端寄りに、前記した吊り部材の通し孔を備えていることを特徴としている。
【０００８】
また、本考案に係る室内用ブランコは、前記した吊り部材は、座板に穿設され複数の透孔に通し回されていることを特徴とし、前記した吊り部材は、その吊り部材の途中もしくは座板への回し部分、あるいは掛け止め体の通し孔部分のいずれかによって長さ調整が可能とされていることを特徴としている。
【０００９】
さらに、本考案に係る室内用ブランコは、前記した座板には、長手方向、もしくは短手方向に沿った立壁部を備えていることを特徴とし、前記した座板は上面を開口とする揺り籠状に形成してあることを特徴としている。
【考案の効果】
【００１０】
本考案に係る室内用ブランコは上記のように構成されている。そのため、格別な支柱や梁材を必要とせず、既設の鴨居や梁に直接的にセットすることができ、しかも鴨居等に対して掛け止め体の喰い込みに加え、ネジで位置決めを安定させ、補強しているので、安全性が向上される。
【００１１】
また、吊り下げのための部材は強靭なものとし、長さ調整も可能としているため、使用者にフィットした設備とすることができ、座板の形態も種々に設定できるので、年齢や体格に合せて選択使用することもできるものとなっている。
【図面の簡単な説明】
【００１２】
【図１】セット状態を示す正面図である。
【図２】鴨居と掛け止め体を示す図である。
【図３】掛け止め体の正面図である。
【図４】背面図である。
【図５】他の例を示す背面図である。
【図６】吊り部材の長さ調整の一例を示す図である。
【図７】座板を示す平面図である。
【図８】座板と吊り部材の関連を示す図である。
【図９】他の座板の例を示す側面図である。
【図１０】他の座板の例を示す正面図である。
【考案を実施するための形態】
【００１３】
図面として示し、実施例で説明したように構成したことで実現した。
【実施例１】
【００１４】
次に、本考案の好ましい実施の例を図面を参照して説明する。図１に示すように、本考案に係る室内用ブランコは襖Ａを片寄せて生じる空間に、鴨居Ｂに対して吊持される。実施例にあって室内用ブランコは、一対の強靭な吊り部材１、１、例えばナイロンザイル等の強靭でフレキシブルな素材によって座板２を吊持するものとなっている。
【００１５】
各吊り部材１、１の上端には各々硬度の高い金属で成形された掛け止め体３、３が備えられている。この掛け止め体３、３は上部が略直角もしくは鋭角に屈曲され、その先端には、鴨居Ｂ等の上面に喰い込ませ固定するための爪部４が内方へ向けて屈曲する角度で形成されている。この角度によって、より強い喰い込み力を得ることができる。この爪部４は図５として示すように二以上の複数とすることもできる。
【００１６】
また、前記した掛け止め体３の下端寄りには透孔５が穿設されており、この透孔５に吊り部材１が挿通され、結び付けられる等して固定される。
【００１７】
さらに、この掛け止め体３には下端を大径もしくは円形とした縦長の長孔６が設けられている。この長孔６は鴨居Ｂの前面に予め取り付けられているネジ７に対して下端の大径もしくは円形部分を嵌め込み、下方へスライドさせることで、掛け止め体３を位置決め、安定させるためのものである。
【００１８】
一方、吊り部材１、１はその途中で、例えばリング８、８‥等を介在させ、長さの調整を可能としている。この長さ調整は特にリング８、８‥等を使用せずとも、座板２や掛け止め体３との連結部分でも十分に実行することができるものとなっており、格別にリング８、８が必須となるものではない。
【００１９】
また、座板２は木材、プラスチック材等の適宜な材料で、偏平な直方体として成形されている。さらに、その座板２の四隅近くには各々上下方向への貫通孔９、９‥が形成されており、この貫通孔９に対し、上方から吊り部材１が挿通され、隣接する貫通孔９の下方から上方へ導かれている。即ち、吊り部材１は座板２の底面に巻き回される構成となり、これによって座板２は片側にあって２本分の吊り部材１によって吊持されることとなり、座板２にかかる負荷も左右各々２本分の吊り部材１によって受けることとなり、より一層の強固さと安全性を確保できる。
【００２０】
さらに、座板２の形状は例えば図９として示すように背当て１０を設けたり、図１０として示すように、両サイドに立壁１１、１１を設け、座った時に、その位置を中央寄りに矯正させる構造とすることもできる。
【００２１】
この座板２の形状は、この他にも揺り籠型として、乳児を寝かせておくこと等も可能である。
【産業上の利用可能性】
【００２２】
本考案に係る室内用ブランコは、上記のように構成されている。実施例では、座板２を一対の吊り部材１、１で吊持する構成としているが、この吊り部材１は例えば一本として座板２の中央部分で吊持し、その吊り部材１を跨ぐように座って遊ぶ構成や、座板２の四隅を各々吊り部材で吊る４本の吊り部材１、１‥を用いる構成とすることもでき、この場合には、鴨居Ｂの前後面から掛け止め体３を掛ける構成とすることもできる。
【符号の説明】
【００２３】
１    吊り部材
２    座板
３    掛け止め体
４    爪部
５    透孔
６    長孔
７    ネジ
８    リング
９    貫通孔
１０  背当て
１１  立壁
Ａ    襖
Ｂ    鴨居
【図１】
0003159634.tif 000003
【図２】
0003159634.tif 000004
【図３】
0003159634.tif 000005
【図４】
0003159634.tif 000006
【図５】
0003159634.tif 000007
【図６】
0003159634.tif 000008
【図７】
0003159634.tif 000009
【図８】
0003159634.tif 000010
【図９】
0003159634.tif 000011
【図１０】
0003159634.tif 000012